(57)【特許請求の範囲】
【請求項１】
主に可撓管によって外装された挿入部内に全長にわたって処置具挿通チャンネルが挿通配置され、上記処置具挿通チャンネルへ処置具挿入を行うための処置具挿入口が、上記挿入部の基端に連結された操作部に配置され、上記挿入部は上記可撓管の基端に取り付けられた連結用口金を上記操作部に連結固定することにより上記操作部に連結され、上記処置具挿通チャンネルを通った処置具の先端が突出する処置具突出口が上記挿入部の先端に配置された内視鏡において、
上記連結用口金は、上記可撓管の基端部分に固着された端部口金に対し軸線方向に摺動自在に嵌合する状態に設けられて、上記連結用口金に取り付けられた固定用ネジを上記端部口金の外面に押し付ける状態に締め付けることにより上記連結用口金が上記可撓管の基端に固定されるように設けられ、
上記処置具挿入口と上記処置具突出口との間の距離を所定長さになるように微調整するための処置具挿通路全長調整手段が、上記連結用口金と上記端部口金と上記固定用ネジとで構成されていることを特徴とする内視鏡。
【請求項２】
上記処置具挿通路全長調整手段が同一機種である複数の内視鏡に設けられ、上記処置具挿入口と上記処置具突出口との間の距離が、上記同一機種である複数の内視鏡において同じ長さに組み立てられる請求項１記載の内視鏡。
【請求項３】
上記挿入部の長さが同等のあい異なる複数の機種の内視鏡に上記処置具挿通路全長調整手段が設けられ、上記処置具挿入口と上記処置具突出口との間の距離が、上記複数機種の内視鏡において同じ長さに組み立てられる請求項１記載の内視鏡。
【請求項４】
上記挿入部の先端部分に、光学観察像を得るための光学観察対物部と、超音波断層像を得るための超音波走査部とが併設されている請求項１、２又は３記載の内視鏡。
【発明の詳細な説明】
【０００１】
【発明の属する技術分野】
この発明は、処置具挿通チャンネルが配置された内視鏡に関する。
【０００２】
【従来の技術】
内視鏡は一般に、主に可撓管によって外装された挿入部内に全長にわたって処置具挿通チャンネルが挿通配置され、その処置具挿通チャンネルへ処置具挿入を行うための処置具挿入口が、挿入部の基端に連結された操作部に配置され、処置具挿通チャンネルを通った処置具の先端が突出する処置具突出口が、挿入部の先端に配置されている。
【０００３】
【発明が解決しようとする課題】
しかし、内視鏡の挿入部を構成する可撓管は、例え内視鏡の機種が同じであっても製造上のバラツキ等により全長が不揃いになり、その結果、処置具挿入口と処置具突出口との間の距離にもバラツキがでる。
【０００４】
そのため、内視鏡用注射具などのように処置具突出口からの突出長さを厳密に一定にする必要のある処置具を用いる場合でも、手元側では先端側の突出長を判断することができないので、処置具に長さ調整機構を設けたり、長さ調整アダプタを処置具挿入口に取り付ける等して、その欠点を補っていた。
【０００５】
しかし、そのようにして処置具側の長さ調整を行っても、その処置具を使用する内視鏡を取り換える度に調整をやり直さなければならないので、取り扱いが非常に煩雑で面倒であった。
【０００６】
そこで本発明は、処置具を用いる際に使用する内視鏡を取り換えても、何らの調整なしに所定の突出長で処置具を安全に使用することができる内視鏡を提供することを目的とする。
【０００７】
【課題を解決するための手段】
上記の目的を達成するため、本発明の内視鏡は、主に可撓管によって外装された挿入部内に全長にわたって処置具挿通チャンネルが挿通配置され、処置具挿通チャンネルへ処置具挿入を行うための処置具挿入口が、挿入部の基端に連結された操作部に配置され、処置具挿通チャンネルを通った処置具の先端が突出する処置具突出口が挿入部の先端に配置された内視鏡において、処置具挿入口と処置具突出口との間の距離を所定長さに微調整して組み立て固定するための処置具挿通路全長調整手段を設けたものである。
【０００８】
その場合、処置具挿通路全長調整手段を同一機種である複数の内視鏡に設けることにより、処置具挿入口と処置具突出口との間の距離を同一機種である複数の内視鏡において同じ長さに組み立てることができる。
【０００９】
また、挿入部の長さが同等のあい異なる複数の機種の内視鏡に処置具挿通路全長調整手段を設けることにより、処置具挿入口と処置具突出口との間の距離を、複数機種の内視鏡において同じ長さに組み立てることができる。
【００１０】
処置具挿通路全長調整手段は、軸線方向に可動に設けられた処置具挿入口金を固定部材により任意の位置で固定できるようにして構成することができ、或いは、操作部に対して軸線方向に可動に設けられた挿入部の基端部分を固定部材により任意の位置で固定できるようにしてもよい。
【００１１】
なお、挿入部の先端部分に、光学観察像を得るための光学観察対物部と、超音波断層像を得るための超音波走査部とが併設された超音波内視鏡に本発明を適用することができる。
【００１２】
【発明の実施の形態】
図面を参照して本発明の実施の形態を説明する。
図２は本発明の第１の実施の形態の超音波内視鏡を示しており、体腔内に挿入される挿入部１０は、可撓管により外装された部分（可撓管部１１）の先端部分に遠隔操作によって屈曲する湾曲部１２が連結され、その湾曲部１２の先端部分に先端部本体１３が連結されて構成されている。
【００１３】
先端部本体１３には、超音波断層像を得るための超音波走査部ブロック１３ｂと、光学観察像を得るための光学観察対物部ブロック１３ａとが、超音波走査部ブロック１３ｂを先側にして軸線方向に直列に連結されて配置されている。
【００１４】
可撓管部１１の基端は操作部２０に連結されていて、光学観察を行うための接眼部２１が操作部２０の上端に突設されている。操作部２０には、湾曲部１２の屈曲操作を行うための湾曲操作ノブ２２などが配置されている。
【００１５】
超音波走査部ブロック１３ｂに入出力される信号を伝送するための信号ケーブルは、一端が超音波走査部ブロック１３ｂに接続されて他端側がコネクター５０に接続されている。そして、コネクター５０を介して外部の超音波信号コントローラーに接続される。５１は、照明用光源装置に接続されるライトガイドコネクターである。
【００１６】
挿入部１０内には、例えば四フッ化エチレン樹脂チューブからなる処置具挿通チャンネル３０が全長にわたって挿通配置されており、処置具挿通チャンネル３０へ処置具挿入を行うための処置具挿入口３１が操作部２０の下端部分に突出して配置され、処置具挿通チャンネル３０を通った処置具の先端が突出する処置具突出口３２が、先端部本体１３の光学観察対物部ブロック１３ａに形成された斜面部分に形成されている。
【００１７】
図３は、挿入部１０の先端部分を図２において右方から見た状態を示している。１４は光学観察のための観察窓、１５は照明窓であり、処置具突出口３２内には、そこから突出される処置具の先端部分の突出方向を変化させるための処置具起上台１６が配置されている。処置具起上台１６は、操作部２０において進退操作される操作ワイヤ１７を介して遠隔的に揺動操作される。
【００１８】
図４は、処置具挿通路の両端である処置具挿入口３１部分と処置具突出口３２部分とを略示している。
処置具挿入口３１は、操作部２０に突設された処置具挿入口金３３の入口部分である。
【００１９】
処置具突出口３２は、厳密には、処置具挿通チャンネル３０の出口部分の軸線が先端部本体１３の表面を通過する部分であり、その処置具挿入口３１と処置具突出口３２との間の距離をＬとする。
【００２０】
図１は、本発明の参考例の処置具挿入口３１の付近を示しており、いわゆるルアーロック雄口金状の筒状に形成された処置具挿入口金３３は、処置具挿通チャンネル３０に真っ直ぐに連通して操作部２０から固定的に突設された受け筒２３に嵌合する状態に取り付けられている。３５は、その嵌合面をシールするＯリングである。
【００２１】
処置具挿入口金３３は受け筒２３に対して軸線方向Ａに摺動自在であり、処置具挿入口金３３に取り付けられた固定用ネジ３４を締め付けて受け筒２３の外面に押し付けることによって、処置具挿入口金３３が受け筒２３に固定される。
【００２２】
したがって、この内視鏡を製造する際に、処置具挿入口３１と処置具突出口３２との距離Ｌが正確に所定の長さになるように微調整した状態で固定用ネジ３４を締め付けることにより、同一機種である複数の内視鏡の処置具挿入口３１と処置具突出口３２との距離Ｌを、全て同じ長さに製造することができる。
【００２３】
その製造工程においては、基準長を示す線材を処置具挿通チャンネル３０内に通しておくことにより上述のセット作業を容易に行うことができ、固定後には、固定用ネジ３４に接着剤等を塗布して完全に固定してしまってもよい。
【００２４】
このようにすることにより、同一機種である複数の内視鏡の処置具挿入口３１と処置具突出口３２との距離Ｌを全て同じ長さに製造することができるので、処置具使用時に同一機種である複数の内視鏡を取り換えて使用しても、何らの調整作業をすることなく、同じ処置具を常に同じ条件（突出長）で安全に使用することができる。
【００２５】
図５は、本発明の第１の実施の形態の内視鏡の挿入部１０と操作部２０との連結部分を示している。図示されていない処置具挿入口金は、参考例と異なり調整不能に構成されている。
【００２６】
可撓管部１１の基端に取り付けられた連結用口金１１ａが、押さえナット２５で操作部２０のフレーム２４に押し付けており、それによって挿入部１０が、操作部２０に連結固定されている。１９は折れ止めゴムである。
【００２７】
この実施の形態においては、連結用口金１１ａが可撓管部１１の基端部分に固着された端部口金１１ｂに対して軸線方向Ｂに摺動自在に嵌合する状態に取り付けられ、連結用口金１１ａに取り付けられた固定用ネジ１８を締め付けて端部口金１１ｂの外面に押し付けることによって固定されるようになっている。
【００２８】
したがって、この内視鏡を製造する際に、処置具挿通チャンネル３０の処置具挿入口３１と処置具突出口３２との間の距離Ｌが正確に所定の長さになるようにこの部分を微調整して固定用ネジ１８を締め付け固定することにより、同一機種である複数の内視鏡の処置具挿入口３１と処置具突出口３２との間の距離Ｌを全て同じ長さに製造することができる。
【００２９】
図６は、処置具挿通チャンネル３０の処置具突出口３２部分に処置具起上台が配置されていない機種の挿入部１０の先端部分（第２の実施の形態）を示しており、処置具突出口３２が単なる丸い孔状に形成されている。この超音波内視鏡の挿入部１０の全長は、第１の実施の形態の超音波内視鏡の挿入部１０の全長と同等である。
【００３０】
したがって、この超音波内視鏡にも、図５に示される第１の実施の形態の構造を採用して、処置具挿入口３１と処置具突出口３２との間の距離Ｌを第１の実施の形態の超音波内視鏡と同じにすることができる。
【００３１】
このように、挿入部１０の長さが同等のあい異なる複数機種の内視鏡において、処置具挿入口３１と処置具突出口３２との間の距離を同じ長さに組み立て固定して、処置具使用時に内視鏡を挿入部長が同等の異なる機種に取り換えて使用しても、何らの調整作業をすることなく、同じ処置具を常に同じ条件（突出長）で安全に使用することができる。
【００３２】
なお、本発明は上記実施の形態に限定されるものではなく、例えば本発明を超音波内視鏡以外の一般内視鏡に適用しても差し支えない。
【００３３】
【発明の効果】
本発明によれば、処置具挿入口と処置具突出口との間の距離を所定長さに調整して組み立てるための処置具挿通路全長調整手段を設けたことにより、処置具を用いる際に使用する内視鏡を取り換えても、何らの調整なしに所定の突出長で安全に使用することができ、それを同一機種だけでなく、挿入部の長さが同等の複数機種間においても実現することができる。
【図面の簡単な説明】
【図１】  本発明の参考例の超音波内視鏡の処置具挿通チャンネルの処置具挿入口付近の側面断面図である。
【図２】本発明の実施の形態の超音波内視鏡の全体構成を示す側面図である。
【図３】本発明の第１の実施の形態の超音波内視鏡の挿入部先端の正面図である。
【図４】本発明の第１の実施の形態の超音波内視鏡の処置具挿通チャンネルの処置具挿入口部分と処置具突出口部分を示す側面断面図である。
【図５】  本発明の第１の実施の形態の超音波内視鏡の挿入部と操作部との連結部付近の側面断面図である。
【図６】  本発明の第２の実施の形態の超音波内視鏡の他の機種の挿入部先端の正面図である。
【符号の説明】
１０  挿入部
１１  可撓管部
１１ａ  連結用口金
１８  固定用ネジ
２０  操作部
２３  受け筒
３０  処置具挿通チャンネル
３１  処置具挿入口
３２  処置具突出口
３３  処置具挿入口金
３４  固定用ネジ
【図１】
0004441012.tif 000002
【図２】
0004441012.tif 000003
【図３】
0004441012.tif 000004
【図４】
0004441012.tif 000005
【図５】
0004441012.tif 000006
【図６】
0004441012.tif 000007